(57)【要約】【課題】アナログ映像信号を長距離伝送する場合において、該信号のオフセット補正を精度良く行う。【解決手段】本発明に係る装置では、長距離を伝送されてきたアナログ映像信号Ｓｐの電圧レベルの検知は、バックポーチの間にではなく垂直ブランキング期間ＶＢＩに行うようになっている。この垂直ブランキング期間ＶＢＩでは、バックポーチと比べて電圧レベルの検知のための時間（電圧レベルのサンプリング時間）を長く取ることができる。したがって、図２(c) に符号Δｔで示すように、信号の減衰に伴って電圧レベルが変動している部分があっても、或いは、信号伝送時にスキューが発生したとしても、サンプリング時間を十分に長く取ることができる。その結果、電圧レベルの検知精度が良好となり、映像信号のオフセット補正を精度良く行うことができる。【選択図】図２
2011023994.tif 000002
【特許請求の範囲】
【請求項１】
アナログ映像信号に同期信号を重畳してなる複合映像信号を送信器から受信器にケーブルを介して伝送する信号伝送装置において、
前記受信器の側にて、垂直ブランキング期間における同期信号に基づいてクランプパルスを発生させるクランプパルス発生部と、
前記受信器の側にて、該発生されたクランプパルスに基づいて前記アナログ映像信号の電圧レベルをサンプルホールドするサンプルホールド部と、
前記垂直ブランキング期間における前記同期信号の後の電圧レベルが所定値となるように前記サンプルホールド部により検知した電圧レベルに基づき前記アナログ映像信号を一の極性側又は他の極性側にシフトさせる信号シフト部と、
を備えたことを特徴とする信号伝送装置。
【発明の詳細な説明】
【技術分野】
【０００１】
本発明は、複合映像信号を伝送する信号伝送装置に係り、詳しくは、伝送された映像信号のオフセット補正に関する。
【背景技術】
【０００２】
従来、複合映像信号等を長距離伝送できるようにした信号伝送装置が提案されている（例えば、特許文献１参照）。
【０００３】
図３は、そのような信号伝送装置の従来構成の一例を示す模式図であって、図中の符号１０１は、映像信号（例えば、Ｒ信号やＧ信号やＢ信号）や他の信号（例えば、垂直同期信号や水平同期信号や音声信号や制御信号）を送信するための送信器を示し、符号１０２は、それらの信号が伝送されるツイストペアケーブルを示し、符号１０３は、該ツイスト・ペアケーブル１０２により伝送されてきた信号を受信するための受信器を示す。また、符号１０４は、映像信号等を送信器１０１に入力するためのパソコンを示し、符号１０５は、受信した信号により動画像を再生するディスプレイ装置を示す。図４は、伝送される映像信号等の波形を示す波形図であり、Ｒ信号とＧ信号とＢ信号とが同期した状態で伝送される様子を示している。また、このような信号伝送装置１００においては、信号線の数が限られているツイストペアケーブル１０２にて多種類の信号を伝送できるようにするため、送信器１０１においては複数種類の信号を重畳した信号（以下、重畳信号とする）を生成し、それを受信器側に伝送し、受信器１０３においては該重畳信号を分離して元の信号を再生することが行われている。図４に示す例では、Ｂ信号に水平同期信号ＨＤが重畳されて複合映像信号（重畳信号）Ｓｃ１が形成されている。
【０００４】
ところで、上述のような信号伝送装置１００で信号が長距離伝送される場合、映像信号Ｒ，Ｇ，Ｂが正負のいずれかの極性の側にシフトしたりしてしまうことがある（図５のΔＶ参照）。そのようなシフトを解消して品質の良い画像を表示するために、次のようなオフセット補正が施されていた。
【０００５】
すなわち、受信器１０３の側で、前記水平同期信号ＨＤの立ち上がりエッジに同期させてクランクパルスを発生させ、そのクランプパルスに基づいて映像信号のサンプルホールドを行ってオフセット量（電圧レベル）ΔＶを検知し、そのオフセット量ΔＶの分だけ映像信号をシフト（オフセット補正）していた（例えば、特許文献２参照）。
【先行技術文献】
【特許文献】
【０００６】
【特許文献１】特開２００４−３２８６６１号公報
【特許文献２】特開２００６−３０４２２７号公報
【発明の概要】
【発明が解決しようとする課題】
【０００７】
しかしながら、上述のオフセット補正の場合、映像信号の電圧レベルの検知はバックポーチの間（つまり、図４及び図５に符号ΔＴで示す間）に行われていたので種々の問題があった。すなわち、図４に符号Ｓｃ１で示すような波形の信号が長距離伝送されると、周波数成分の減衰に伴い、水平同期信号ＨＤの立ち上がり直後（図５に符号Ｎで示す部分）の電圧レベルが一定とはならずに変動してしまうことが多い。そのような場合にその変動部分Ｎもサンプルホールドすると、オフセット量ΔＶの検知精度が悪くなってしまうという問題があった。また、バックポーチの期間はもともと短いため、そのような変動部分Ｎを除いてサンプルホールドを行おうとすると、サンプリング時間がとても短くなってしまい、それに伴い、オフセット量ΔＶの検知精度が悪くなってしまうという問題があった。さらに、映像信号伝送時にスキューが発生するような場合には、３つの全ての信号がバックポーチである期間がより一層短くなってしまい、サンプリング時間が短くなってオフセット量ΔＶの検知精度もさらに悪くなってしまうという問題があった。
【０００８】
本発明は、上述の問題を解消することのできる信号伝送装置を提供することを目的とするものである。
【課題を解決するための手段】
【０００９】
請求項１に係る発明は、図１及び図２に例示するものであって、アナログ映像信号（Ｓｐ，Ｂ）に同期信号（Ｓｓ，ＨＤ）を重畳してなる複合映像信号（Ｓｃ１）を送信器（３）から受信器（４）にケーブル（２）を介して伝送する信号伝送装置（１）において、
前記受信器（４）の側にて、垂直ブランキング期間（ＶＢＩ）における同期信号（ＨＤ）に基づいてクランプパルス（Ｐｃｌ）を発生させるクランプパルス発生部（４０）と、
前記受信器（４）の側にて、該発生されたクランプパルス（Ｐｃｌ）に基づいて前記アナログ映像信号（Ｓｐ，Ｂ）の電圧レベルをサンプルホールドするサンプルホールド部（４１）と、
前記垂直ブランキング期間（ＶＢＩ）における前記同期信号（Ｓｓ，ＨＤ）の後の電圧レベルが所定値となるように前記サンプルホールド部（４１）により検知した電圧レベルに基づき前記アナログ映像信号（Ｓｐ，Ｂ）を一の極性側又は他の極性側にシフトさせる信号シフト部（４２）と、を備えたことを特徴とする。
【００１０】
なお、括弧内の番号などは、図面における対応する要素を示す便宜的なものであり、従って、本記述は図面上の記載に限定拘束されるものではない。
【発明の効果】
【００１１】
請求項１に係る発明によれば、アナログ映像信号の電圧レベルのサンプリングを十分な時間行うことができるので、該電圧レベルの検知を精度良く行うことができ、受信器側において品質の良い画像を表示することができる。
【図面の簡単な説明】
【００１２】
【図１】図１は、本発明に係る信号伝送装置の構成の一例を示すブロック図である。
【図２】図２(a) は、映像信号の波形の一例を示す波形図であり、同図(b)は、図(a) の映像信号に水平同期信号が重畳された複合映像信号の波形の一例を示す波形図であり、同図(c) は、伝送後の波形（垂直ブランキング期間の水平同期信号の波形）の一例を示す波形図であり、同図(d)は、クランプパルスの波形の一例を示す波形図である。
【図３】図３は、信号伝送装置の従来構成の一例を示す模式図である。
【図４】図４は、伝送される信号（Ｒ信号、Ｇ信号、及び複合映像信号Ｓｃ１）の一例を示す波形図である。
【図５】図５は、伝送された信号の一例を示す波形図である。
【発明を実施するための形態】
【００１３】
以下、図１及び図２に沿って、本発明の実施の形態について説明する。
【００１４】
本発明に係る信号伝送装置は、図１に符号１で例示するものであって、
・  ケーブル２の一端側に接続されて少なくとも複合映像信号Ｓｃ１を送信する送信器３と、
・  該ケーブル２の他端側に接続されて前記送信器３から送信された複合映像信号Ｓｃ１を受信する受信器４と、
を備えている。つまり、複合映像信号Ｓｃ１を少なくとも前記送信器３から前記受信器４に前記ケーブル２を介して伝送するように構成されている。この複合映像信号Ｓｃ１は、図２(b) に例示するものであって、Ｒ信号やＧ信号やＢ信号のようなアナログ映像信号Ｓｐ（図２(a) 参照）に、同期信号Ｓｓ（具体的には、水平同期信号ＨＤ）を重畳させた信号である。また、前記ケーブル２としては、例えば、カテゴリー５のツイストペアケーブルを用いると良く、アナログ映像信号Ｓｐや同期信号Ｓｓ以外に、音声信号や制御信号を伝送するようにすると良い。
【００１５】
さらに、この信号伝送装置１は、
・  前記受信器４の側にて、垂直ブランキング期間ＶＢＩにおける同期信号（具体的には、水平同期信号ＨＤ）に基づいてクランプパルスＰｃｌ（図２(d) 参照）を発生させるクランプパルス発生部４０と、
・  前記受信器４の側にて、該発生されたクランプパルスＰｃｌに基づいて前記アナログ映像信号Ｓｐの電圧レベル（水平同期信号ＨＤの後のブラックレベル信号）をサンプルホールドするサンプルホールド部４１と、
・  前記垂直ブランキング期間ＶＢＩにおける前記同期信号ＨＤの後の電圧レベルが所定値となるように前記サンプルホールド部４１により検知した電圧レベルに基づき前記アナログ映像信号Ｓｐを一の極性側又は他の極性側にシフトさせる信号シフト部４２と、
を備えている。ここで、上述のクランプパルス発生部４０を、カウンタ４０１とパルス発生回路４０２とにより構成しておいて、垂直同期信号ＨＤをトリガーとしてカウンタ４０１をスタートさせ、一定の期間だけパルス発生回路４０２によりクランプパルスＰｃｌを発生させるようにすると良い。なお、図中の符号３０は、送信器側にて映像信号（例えば、Ｇ，Ｂ）に同期信号ＨＤ，ＶＤを重畳するための同期信号付加部を示し、符号４３は、受信器側にて複合映像信号Ｓｃ１，Ｓｃ２から同期信号ＨＤ，ＶＤを分離する同期信号分離部を示し、符号４４は、受信器側にて複合映像信号Ｓｃ１，Ｓｃ２から同期信号ＨＤ，ＶＤを除去する同期信号除去部を示す。
【００１６】
本発明によれば、前記サンプルホールド部４１によってアナログ映像信号Ｓｐの電圧レベルを知ることができ、前記信号シフト部４２によってアナログ映像信号Ｓｐのオフセット補正が出来る。これにより、映像信号Ｓｐを長距離伝送した場合であっても、受信器側において品質の良い画像を表示することができる。
【００１７】
また、本発明によれば、アナログ映像信号Ｓｐの電圧レベルの検知は、従来のようなバックポーチの間ではなく垂直ブランキング期間ＶＢＩにて行うので、種々の効果を得ることができる。すなわち、図２(b) に示すような波形の信号が長距離伝送されて、水平同期信号ＨＤの立ち上がり直後（同図(c) に符号Δｔで示す部分）の電圧レベルが一定とはならずに変動してしまったとしても、次の水平同期信号ＨＤまでは十分に時間があるため、そのような変動部分Δｔを除いたとしても十分な時間のサンプリングが可能となる。したがって、電圧レベルの検知を精度良く行うことができる。また、映像信号伝送時にスキューが発生した場合であっても、十分な時間のサンプリングが可能であり、電圧レベルの検知を精度良く行うことができる。
【００１８】
なお、垂直同期信号及び水平同期信号がコンポジットシンク信号として前記送信器３に供給される場合は、該送信器側にて水平同期信号を分離し、適当な信号線（例えば、ＦＭデータ線や、垂直同期信号が重畳されるべきであった映像信号線）を介してこれを前記受信器４の側に送信すると良い。
【符号の説明】
【００１９】
１            信号伝送装置
２            ケーブル
３            送信器
４            受信器
４０          クランプパルス発生部
４１          サンプルホールド部
４２          信号シフト部
Ｐｃｌ        クランプパルス
Ｓｃ１        複合映像信号
Ｓｐ          アナログ映像信号
Ｓｓ          同期信号
ＶＢＩ        垂直ブランキング期間
【図１】
2011023994.tif 000003
【図２】
2011023994.tif 000004
【図３】
2011023994.tif 000005
【図４】
2011023994.tif 000006
【図５】
2011023994.tif 000007